(57)【要約】【課題】トラフ内の流水速度が速い場合や流水量が少ない場合であっても、確実に水を水田へ供給することが出来る流水誘導分水トラフを提供する。【解決手段】トラフ本体１は底部２と底部２の両端から起立する側面部３、４とから略凵字状に形成してある。側面部３には水量調節装置１１を添設するための添設用凹部５が形成してあり、また下側に分水穴が形成してある。側面部３、４の分水穴に対して横方向両側に右側嵌合用溝８、左側嵌合用溝９が形成してあり、下流側に流水誘導板１０が嵌設してある。水量調節装置１１は、遮蔽板と、遮蔽板の下部側に形成した通水穴と、遮蔽板の幅方向両端から前方に向けて略Ｌ字状に内向きに設けられ、内面を係止面とする係止部とで構成する支持体１２と、調節板と閉塞面の逆側面にヒンジを介して縦方向に傾動可能に設けたストッパーと、ストッパーから上方に突設した操作棒２１とで構成する水量調節体とからなる。【選択図】図１
0003140445.tif 000002
【実用新案登録請求の範囲】
【請求項１】
底部と該底部の両側縁から起立する一対の側面部とから形成したトラフ本体と、該側面部に設けた分水穴と、該分水穴を開閉するために前記側面部に添設した水量調節装置とからなる流水誘導分水トラフにおいて、前記分水穴の横方向下流側に位置して前記トラフ本体内に越流可能な高さからなる流水誘導板を水流方向に抗する状態で着脱可能に設けたことを特徴とする流水誘導分水トラフ。
【請求項２】
前記流水誘導板は、前記分水穴に対して横方向両側のいずれかに選択して配設可能であることを特徴とする請求項１記載の流水誘導分水トラフ。
【請求項３】
前記トラフ本体の底部に、流水を誘導して前記分水穴に流入させる凹み部を形成したことを特徴とする請求項１又は２記載の流水誘導分水トラフ。
【請求項４】
前記水量調節装置は、通水穴を形成した遮蔽板の幅方向両端に係止部を設けた支持体と、該支持体に昇降自在に設けられ、昇降することにより前記通水穴を開閉する水量調節体とからなり、該水量調節体は、前記通水穴を開閉する調節板と、該調節板に傾動可能に設けられ、傾斜して前記係止部に当接することにより調節板を所望の位置に保持するストッパーと、該ストッパーを押動操作すべくストッパーに設けた操作部とから構成してあることを特徴とする請求項１乃至３のいずれかに記載の流水誘導分水トラフ。
【考案の詳細な説明】
【技術分野】
【０００１】
本考案は、用水路内を流れる水を分けて水田に供給するための流水誘導分水トラフに関する。
【背景技術】
【０００２】
水田は定期的に水を供給し、さらに稲の育成時期に応じた水量の管理を行う必要がある。そこで、用水路から水田に水を引き込むために分水トラフが用いられている。従来の分水トラフは、略Ｕ字状に形成した本体の側壁面に分水穴を設け、その分水穴から水を各水田に供給するようになっている（特許文献１）。また、水路に設けて、扉体を昇降させることにより流れる水の量を調節して、水路の水位を調整する水位調整用の水門ゲートが知られている（特許文献２）。
【特許文献１】実開昭５３−１１６１６０号公報
【特許文献２】特開２００６−３７３７４号公報
【考案の開示】
【考案が解決しようとする課題】
【０００３】
上述の分水トラフは側壁面に分水穴を設けて水が自然に分かれて流入するようにしたものであるが、水を分水穴へ導くものが何もないため、トラフ内の流水量が多くて、流水速度が速い場合、又はトラフ内の流水量が少ない場合には、水は分水穴に十分に流入せず、水田に水を供給するのに時間がかかるという問題がある。また、上述の水門ゲートを分水用トラフに設けても、水門ゲートは水を分水穴へ導くものではないから、単に水門ゲートを設けるだけではトラフ内の流水量が多く、流水速度が速い場合、又はトラフ内の流水量が少ない場合には水が分水穴に十分に流入せず、的確に水位の調節を行うことができない。
【０００４】
本考案は上述した従来技術の欠点に鑑みなされたもので、トラフ内の流水速度が速い場合や流水量が少ない場合であっても、確実に水を分水穴へ導いて水田へ供給することが出来るようにした流水誘導分水トラフを提供することを目的とする。
【課題を解決するための手段】
【０００５】
上記課題を解決するために構成した本考案の手段は、底部と該底部の両側縁から起立する一対の側面部とから形成したトラフ本体と、該側面部に設けた分水穴と、該分水穴を開閉するために前記側面部に添設した水量調節装置とからなる流水誘導分水トラフにおいて、前記分水穴の横方向下流側に位置して前記トラフ本体内に越流可能な高さからなる流水誘導板を水流方向に抗する状態で着脱可能に設けたことにある。
【０００６】
そして、前記流水誘導板は、前記分水穴に対して横方向両側のいずれかに選択して配設可能とするとよい。
【０００７】
また、前記トラフ本体の底部に、流水を誘導して前記分水穴に流入させる凹み部を形成するとよい。
【０００８】
さらに、前記水量調節装置は、通水穴を形成した遮蔽板の幅方向両端に係止部を設けた支持体と、該支持体に昇降自在に設けられ、昇降することにより前記通水穴を開閉する水量調節体とからなり、該水量調節体は、前記通水穴を開閉する調節板と、該調節板に傾動可能に設けられ、傾斜して前記係止部に当接することにより調節板を所望の位置に保持するストッパーと、該ストッパーを押動操作すべくストッパーに設けた操作部とから構成するとよい。
【考案の効果】
【０００９】
本考案は、上述の構成とすることにより以下の諸効果を奏する。
（１）トラフ本体内に水流方向に抗する状態で流水誘導板を設けたから、流水速度が速い場合や流水量が少ない場合であっても流水を確実に分水穴へ誘導して、水田へ水を十分に供給することができる。
（２）流水誘導板は越流可能な高さに形成してあるから、流水誘導板で水を誘導して分けつつ、水をせき止めずに下流へ水を流すことができる。
（３）流水誘導板は、分水穴に対して横方向両側のいずれにも選択して配設可能にしたから、給水する水田が下流方向に対して左右のいずれにあっても、流水誘導分水トラフの設置する向きを変更し、分水穴の下流側に流水誘導板を設けることによって、確実に流水を誘導して分水することができる。
（４）トラフ本体内の底部に凹み部を形成してあるから、トラフ内の流水量が少ない場合であっても凹み部に水を留まらせることで分水穴へ流動させることができ、確実に水田に水を供給することができる。
（５）水量調節装置は、水量調節体を昇降させることにより通水穴の開閉量を調整し、通水穴から分水穴へ流れる水の量を調節するようにしたから、分水量の細かい調節を行うことができる。
（６）水量調節体の昇降は、操作部を傾動して引き上げ、押し下げる操作のみで行うから水量調節作業を容易に行うことができる。
（７）水量調節体の昇降操作は、ストッパーを係止部から開放した状態で行い、水量調節体の位置を保持するときのみストッパーを係止部に当接させるようにしてあるから、昇降動作を僅かな力で行うことができる。
【考案を実施するための最良の形態】
【００１０】
以下、本考案の実施の形態を図面に基き説明する。図において、１は流水誘導分水トラフを構成するコンクリート製のトラフ本体を示し、該トラフ本体１は底部２と該底部２の横方向両端から起立する一対の側面部３、４とから構成することにより、前方、後方及び上方が開放した横断面略凵字状に形成してある。そして、一側の側面部３には後述する水量調節装置１１を添設するための添設用凹部５が中央縦方向に形成してあり、該添設用凹部５内の下側に円形の分水穴６が形成してある。なお、該分水穴６の形状は円形に限られず、四角形などでもよく、四角形にすることによってより正確に通水量の調節を行うことができる。また、底部２には、該分水穴６に流水を誘導するように底面を該分水穴６の下端と同じ高さに構成した凹み部７が形成してある（図２参照）。
【００１１】
８、８は後述する流水誘導板１０をトラフ本体１内に嵌設するために、前記分水穴６に対して横方向右側に設けた一対の右側嵌合用溝を示す。該右側嵌合用溝８、８は縦長の冂状の溝からなり、前記側面部３、４から底面２に向けてそれぞれ設けることにより、流水誘導板１０の左右両端側角隅を保持するようになっている。９、９は、分水穴６に対して横方向左側に設けた一対の左側嵌合用溝を示す。該左側嵌合用溝９、９は右側嵌合用溝８と同様の縦長の冂状の溝からなり、前記側面部３、４にそれぞれ設けてある。このように分水穴６に対して横方向両側に各一対の嵌合用溝８、９を設けることにより流水誘導誘板１０を右側嵌合用溝８又は左側嵌合用溝９のいずれかを選択して嵌設することができるようにしたから、常に流水誘導板１０を分水穴６に対して下流側に配設することができる。
【００１２】
１０は該右側嵌合用溝８、８又は左側嵌合用溝９、９に嵌合することにより、トラフ本体１内に水流に抗する向きに設けた流水誘導板を示す。該流水誘導板１０は略長方形の平板体からなり、越流可能な高さに形成してあるから、トラフ本体１内を流れる水が該流水誘導板１０に完全にせき止められることがない。図１においては、流水誘導板１０は右側嵌合用溝８に嵌設してある。
【００１３】
１１は前記添設用凹部５に添設してある水量調節装置を示す。１２は該水量調節装置１１を構成する支持体を示し、該支持体１２は平面略長方形の板体からなる遮蔽板１３と、該遮蔽板１３の下部側に形成した円形の通水穴１４と、遮蔽板１３の幅方向両端から前方に向けて略Ｌ字状に内向きに設けられ、内面を係止面１５Ａとする一対の係止部１５、１５とから構成することにより、上方、下方及び前方が開放した形態に形成してある。なお、後述する調節板１７が接する遮蔽板１３の内面側には、通水穴１４の口縁に沿ってゴム等からなる弾性閉塞体を貼着してもよい。弾性閉塞体を設けることにより、該弾性閉塞体に調節板１７が圧接して水漏れを防ぐことができる。また、通水穴１４の形状は円形に限られず、四角形などでもよく、四角形にすることによってより正確に通水量の調節を行うことができる。
【００１４】
１６は前記支持体１２内に昇降可能に配設する水量調節体を示す。１７は該水量調節体１６を構成する調節板で、該調節板１７は略正方形の板体からなり、片側面が前記通水穴１４を閉塞するための閉塞面１７Ａとなっており、該閉塞面１７Ａには略全面にゴム等からなる弾性閉塞板１８が貼着してある。該弾性閉塞板１８は遮蔽板１３に圧接して通水穴１４の口縁に隙間が生じるのを防ぎ、水漏れすることなく確実に通水量を調節するためのものである。
【００１５】
１９は調節板１７の閉塞面１７Ａとは反対側の前面１７Ｂの高さ方向略中間に位置してヒンジ２０、２０を介して縦方向に傾動可能に設けた逆Ｌ字型のストッパーを示す。該ストッパー１９が前方向に傾いて先端の当接縁１９Ａが前記係止面１５Ａに係止することにより、調節板１７は落下することなくその位置を保持することができる。
【００１６】
２１は操作部としての操作棒を示す。該操作棒２１は前記ストッパー１９の幅方向中心から上方に突設した棒本体２１Ａと、該棒本体２１Ａの上端に設けたノブ２１Ｂとから構成してある。そして、操作棒２１は押動操作することによりストッパー１９を前記係止面１５Ａに接離させ、また、調節板１７を昇降させるためのものである。
【００１７】
２２は、操作棒２１を所定の状態に拘持することによって、ストッパー１９を係止面１５Ａから離間した状態に保持するためのストッパー保持体を示す。該ストッパー保持体２２はバネ性金属材からなり、中間を凹湾曲状に屈曲させた一対の拘持片２２Ａ、２２Ａを連結片２２Ｂで連結することにより、先端側が開放した形状からなっている。そして、ストッパー保持体２２はストッパー１９の上方に位置して調節板１７の表面１７Ｂに後述する板バネ２３と一体に設けてあり、操作棒２１をバネ力を有する一対の拘持片２２Ａ、２２Ａの間に押し込んで略垂直状態に拘持することにより、運搬時に水量調節体１６が不用意に上下動したり、傾いたりする事態を防止し、取扱いの容易性を確保すると共に、支持体１２、水量調節体１６及びストッパー１９が損傷するのを防止している。
【００１８】
２３は、ストッパー１９を係止面１５Ａに圧接させる方向に常時付勢する板バネを示す。該板バネ２３はバネ性金属板を略Ｖ字状に曲折形成して一側を固定板片２３Ａ、他側を押圧板片２３Ｂとしてあり、固定板片２３Ａの下端を支点として押圧板片２３Ｂが常に拡開するようにバネ力が働いている。なお、板バネ２３は、固定板片２３Ａをストッパー保持体２２の連結片２２Ｂと一体に形成したものからなっており、操作棒２１に対向した状態で調節板１７に設けてある。
【００１９】
かくして、板バネ２３は、押圧板片２３Ｂがバネ力によって操作棒２１を傾斜する方向に押動し、ストッパー１９を係止面１５Ａに圧接させることにより、調節板１７を任意の高さに確実に位置決めすることができ、分水量の自由な調節を可能にしている。
【００２０】
本実施の形態は上述の構成からなっており、次にその作用について説明する。
トラフ内を流れる水量が多く、流れる速度が速い場合、または水量が少ない場合には、十分に分水されず分水穴６から水田に水を供給することができない。このような場合、既存のトラフに代えて、流水誘導分水トラフを分水したい位置に設置する。そして、右側嵌合用溝８と左側嵌合用溝９のうち、下流側に位置する嵌合用溝８（９）に流水誘導板１０を嵌設する。図においては右側嵌合用溝８に嵌設してある。
【００２１】
そして、水量調節体１６を操作して、水量調節装置１１の通水穴１４を開口する。図８は水量調節装置１１による開口操作を示す側面図である。図８（ａ）は、水量調節体１６が通水穴１４を閉塞していない調節未設定の状態を示す。この状態では、ストッパー保持体２２が操作棒２１を挟持して鉛直状態に保持しており、操作棒２１を設けてあるストッパー１９も当接面１５Ａに接していない状態にある。
【００２２】
通水穴１４を開口して水を導入すると共に、水田への通水量を調節しようとする場合は、図８（ｂ）に示すように、操作棒２１を手で掴んで引き上げることにより、調節板１７が持ち上げられ、通水穴１４が開口する。
【００２３】
そして、通水穴１４の開口量を決定して、水量調節体１６の位置を固定する場合は、図８（ｃ）に示すように、操作棒２１をストッパー保持体２２から外して係止面１５Ａ方向に傾ける。これにより、板バネ２３のバネ力によって該操作棒２１と共にストッパー１９も係止面１５Ａ方向に傾き、該ストッパー１９の当接縁１９Ａが係止面１５Ａに当接する。
【００２４】
ストッパー１９の重さ、操作棒２１の重さ及び板バネ２３の押圧力により係止面１５Ａ方向に傾いているストッパー１９は、当接縁１９Ａが係止面１５Ａに係止し続けることで水量調節体１６の位置を固定することができる。また、不意に強風や動物などによってストッパー１９や操作棒２１が係止面１５Ａから離間する方向に力を受けても、板バネ２３が操作棒２１の動きを抑止して鉛直状態に起き上がることを防ぎ、ストッパー１９が係止面１５Ａから離間することがないようにしたから、通水中に通水穴１４が不用意に閉塞されることもなく、確実に分水して水田へ水を供給することができる。
【００２５】
水田への水の供給が終了して通水穴１４を閉塞する場合は、操作棒２１を鉛直状態に起こしてストッパー１９を係止面１５Ａから離間させ、水量調節体１６を支持体１２の下端にまで下げたら、上述と逆の手順で再び操作棒２１を係止部１５方向に傾けてストッパー１９を当接面１５Ａに係止させることにより通水穴１４を閉塞することができる。
【００２６】
図９はトラフ本体１内の水の流れを示す。上流Ａからトラフ本体１内に流入した場合、水の一部は流水誘導板１０によってその方向を変えられ、分水穴６へと誘導されて該分水穴６から水田Ｂへ流入する。また、流水誘導板１０は越流可能な高さに形成してあり、上流Ａから流れてきた水の一部は流水誘導板１０を越流して下流Ｃへ流れていくから、水の流れがせき止められることがない。また、トラフ本体１内を流れる水の量が少ない場合は、水は流水誘導板１０によって一旦塞き止められて凹み部７に溜まり、該凹み部７から分水穴６へと誘導されて水田Ｂへと流れていく。
【００２７】
流水誘導板１０は左右両端を右側嵌合用溝８に嵌合してトラフ本体１内に設けてあるから、上方へ持ち上げることで、容易に着脱が可能である。したがって、流水誘導分水トラフの設置する向きを変えたことによって、流水誘導分水トラフに対する上流、下流の向きが変わった場合は、流水誘導板１０を右側嵌合用溝８から取り外し、下流側となった左側嵌合用溝９に嵌設することによって、上記と同様に流水を分水穴６へ誘導して水田へ供給することができる。
【００２８】
なお、分水をしない場合は、流水誘導板１０を取り外し、水量調節体１６で通水穴１４を閉塞すればよい。
【図面の簡単な説明】
【００２９】
【図１】流水誘導分水トラフの外観斜視図である。
【図２】トラフ本体の外観斜視図である。
【図３】流水誘導分水トラフの平面図である。
【図４】水量調節装置の外観斜視図である。
【図５】水量調節装置の背面を示す外観斜視図である
【図６】水量調節体の外観斜視図である。
【図７】水量調節体を構成するストッパー保持体と板バネの拡大図である。
【図８】水量調節装置の動作状態を示し、(ａ)は、水量調節体が通水穴を閉塞した状態、（ｂ）は、水量調節体を引き上げた状態、（ｃ）は、水量調節体の位置を固定した状態の説明図である。
【図９】流水誘導分水トラフ内の水の流れを示す説明図である。
【符号の説明】
【００３０】
１    トラフ本体
２    底部
３    側面部
４    側面部
６    分水穴
７    凹み部
１０  流水誘導板
１１  水量調節装置
１２  支持体
１３  遮蔽板
１４  通水穴
１５  係止部
１６  水量調節体
１７  調節板
１９  ストッパー
２１  操作部（操作棒）
【図１】
0003140445.tif 000003
【図２】
0003140445.tif 000004
【図３】
0003140445.tif 000005
【図４】
0003140445.tif 000006
【図５】
0003140445.tif 000007
【図６】
0003140445.tif 000008
【図７】
0003140445.tif 000009
【図８】
0003140445.tif 000010
【図９】
0003140445.tif 000011